(57)【要約】      （修正有）【課題】組み立て作業を容易にしかつ製造コストを低減することができる絶縁ケースが得られるコアキャップの提供を目的とする。【解決手段】トロイダルコア２を上下から被覆して収納すべく外周壁３と内周壁４の間に空隙５を設け中央部に通孔部６を有し、かつ外周に巻回する巻線を複数回路に分割すべく上記通孔部を横断し絶縁ケースを縦に分割する絶縁仕切板８を配設する環状筒体の絶縁ケースを横方向の切断面で２分割するように上下に分割した形状からなるコアキャップ１において、その開口端部には、この２個のコアキャップを互いの開口部を向かい合わせた際に互いに係合して閉蓋する凹凸形状からなる係合部１０、１５、２２を形成する。【選択図】図２
0003122345.tif 000002
【実用新案登録請求の範囲】
【請求項１】
トロイダルコアを収納すべく外周壁と内周壁の間に空隙を設け中央部に通孔部を有する環状筒体の絶縁ケースを横方向で２分割した形状からなるコアキャップにおいて、コアキャップの開口端部には、この２個のコアキャップを互いの開口部を向かい合わせた際に互いに係合して閉蓋する凹凸形状からなる係合部を形成したことを特徴とするコアキャップ。
【請求項２】
係合部は、開口部を向かい合わせにした２個のコアキャップが互いに係合する段部からなることを特徴とする請求項１記載のコアキャップ。
【請求項３】
係合部は、開口端部の周囲を２分して一方に外周壁の厚さの半分の凹部を外周側に形成し、他方に外周壁の厚さの半分の凹部を内周側に形成したことを特徴とする請求項１記載のコアキャップ。
【請求項４】
係合部は、開口端部の周囲を２分して一方に内周壁の厚さの半分の凹部を外周側に形成し、他方に内周壁の厚さの半分の凹部を形成したことを特徴とする請求項１記載のコアキャップ。
【請求項５】
外周に巻回する巻線を複数回路に分割すべく通孔部を横断し絶縁ケースを縦に分割する絶縁仕切板を配設するとともに、この絶縁仕切板の開口端部には縦方向に２分した一方の絶縁仕切板の厚さの半分の凹部と、他方の絶縁仕切板の厚さの半分の凸部とからなる係合部を形成したことを特徴とする請求項１記載のコアキャップ。
【考案の詳細な説明】
【技術分野】
【０００１】
本考案は、インダクタンス素子を構成する部材であって、トロイダルコアを絶縁被覆してその外周に巻線を施す合成樹脂製の環状筒体の絶縁ケースを構成するコアキャップに係り、特に形状に工夫を凝らすことで１種のコアキャップを２個組み合わせるだけで環状筒体の絶縁ケースを構成することができるコアキャップに関するものである。
【背景技術】
【０００２】
従来、トロイダルコアを絶縁被覆してその外周に巻線を施す合成樹脂製の絶縁ケースとしては、環状筒体の絶縁ケースを上下に２分する構造とし、ケース上側部とケース下側部の間にトロイダルコアを収納して嵌合させた上で、通孔部を縦に２分する絶縁仕切板を挿入して組み立てていた。
【特許文献１】実公昭６４−５８６０号公報
【考案の開示】
【考案が解決しようとする課題】
【０００３】
しかしながら、上述した従来の絶縁ケースにあっては、ケース上側部、ケース下側部、絶縁仕切板の３個から構成されることから、それぞれの成形型で３種のパーツを成形する必要があるとともに、絶縁仕切板を環状筒体の絶縁ケースに固定する作業も必要となり、その組立に際しては多大な手間とコストと時間を必要としていた。
【０００４】
そこで本考案にあっては、上述した課題を解決し組み立て作業を容易にしかつローコストな絶縁ケースが得られるコアキャップの提供を目的とする。
【課題を解決するための手段】
【０００５】
上記目的を達成するため、本考案のコアキャップは、トロイダルコアを収納すべく外周壁と内周壁の間に空隙を設け中央部に通孔部を有する環状筒体の絶縁ケースを横方向で２分割した形状からなるコアキャップにおいて、コアキャップの開口端部には、この２個のコアキャップを互いの開口部を向かい合わせた際に互いに係合して閉蓋する凹凸形状からなる係合部を形成したことを特徴とする。
【０００６】
また、係合部は、開口部を向かい合わせにした２個のコアキャップが互いに係合する段部からなることを特徴とする。
【０００７】
また、係合部は、開口端部の周囲を２分して一方に外周壁の厚さの半分の凹部を外周側に形成し、他方に外周壁の厚さの半分の凹部を内周側に形成したことを特徴とする。
【０００８】
また、係合部は、開口端部の周囲を２分して一方に内周壁の厚さの半分の凹部を外周側に形成し、他方に内周壁の厚さの半分の凹部を内周側に形成したことを特徴とする。
【０００９】
また、外周に巻回する巻線を複数回路に分割すべく通孔部を横断し絶縁ケースを縦に分割する絶縁仕切板を配設するとともに、この絶縁仕切板の開口端部には縦方向に２分した一方の絶縁仕切板の厚さの半分の凹部と、他方の絶縁仕切板の厚さの半分の凸部とからなる係合部を形成したことを特徴とする。
【考案の効果】
【００１０】
本考案のコアキャップによれば、トロイダルコアを収納すべく外周壁と内周壁の間に空隙を設け中央部に通孔部を有する環状筒体の絶縁ケースを横方向で２分割した形状からなるコアキャップにおいて、コアキャップの開口端部には、この２個のコアキャップを互いの開口部を向かい合わせた際に互いに係合して閉蓋する凹凸形状からなる係合部を形成したことで、１つの成形型から形成される１種のコアキャップを２個組み合わせるだけで絶縁ケースとすることができ、組み立て作業が容易になるとともに、ローコストな絶縁ケースが得られるものである。
【考案を実施するための最良の形態】
【００１１】
図１は、本考案のコアキャップ１を示し、図２に示すトロイダルコア２を上下から被覆して収納すべく外周壁３と内周壁４の間に空隙５を設け中央部に通孔部６を有する形状からなる肉厚の薄い合成樹脂成形品であって、図３に示す環状筒体の絶縁ケース７を横方向の分割面で上下に２分割したごとき形状から構成されている。そして、環状筒体の絶縁ケース７の外周に巻回する巻線を電気的絶縁状態で複数回路に分割するために、コアキャップ１には通孔部６を横断し絶縁ケース７を縦に分割する絶縁仕切板８を配設している。
【００１２】
また、コアキャップ１の開口端部の外周壁３には、この２個のコアキャップ１を互いの開口部を向かい合わせた際に互いに係合して閉蓋する凹凸形状からなる係合部１０を形成している。この係合部１０は、開口部を向かい合わせにした２個のコアキャップ１が互いに係合する段部からなり、開口端部の周囲を２分して一方に外周壁の厚さの半分の凹部１１を外周側に、そして凸部１２を内周側に形成し、他方に外周壁の厚さの半分の凹部１３を内周側に、そして凸部１４を内周側に形成している。
【００１３】
そして、コアキャップ１の開口端部の内周壁４にも、２個のコアキャップ１を互いの開口部を向かい合わせた際に互いに係合して閉蓋する凹凸形状からなる係合部１５を形成している。この係合部１５は、上述した外周壁３の係合部１０と同じ凹凸段部の位置関係からなり、開口端部の周囲を２分して一方に外周壁の厚さの半分の凹部１６を外周側に、そして凸部１７を内周側に形成し、他方に外周壁の厚さの半分の凹部１８を内周側に、そして凸部１９を内周側に形成している。
【００１４】
さらに、コアキャップ１の絶縁仕切板８は、図２の下方のコアキャップ１に示すごとく、その開口端部を縦方向に２分して、一方に絶縁仕切板８の厚さの半分の凹部２０と、絶縁仕切板８の厚さの半分の凸部２１とからなる係合部２２を形成している。この係合部２２は、図２に示すごとく、絶縁仕切板８の通孔部６内のみならず、環状筒体の外周から突出している部分にも形成している。尚、コアキャップ１の通孔部６内に位置する絶縁仕切板８の中央部８ａは、それ以外の環状筒体の外周から突出する部分の板厚が約３．２ｍｍであるのに対し、約１．２ｍｍの板厚と薄くしている。これは、通孔部６の実効断面積を拡げることで、線材を巻回する際に線材を通しやすくするためである。
【００１５】
上述したコアキャップ１の係合部１０，１５，２２にあっては、その凹凸段部の高さは、コアキャップ１の直径が約３３ｍｍ、コアキャップ１の高さ（絶縁仕切板８の突出部分を除く）が約１７ｍｍの場合に約３ｍｍとし、この程度の係合深さとすることにより２個のコアキャップ１を確実に係合させることができる。
【００１６】
このような構成からなるコアキャップ１を用いて絶縁ケース７に組み立て方としては、図２に示すごとく、同一形状からなるコアキャップ１を２個用意し、下方のコアキャップ１の空隙５内にトロイダルコア２を収納する。次に、上方のコアキャップ１の開口端部を、下方のコアキャップ１の開口端部に対向させ、互いの係合部の凹凸が係合するように向きを合わせ、それぞれの凹部に凸部を押し込むことで、トロイダルコア２を被覆収納した絶縁ケース７が組み立てられる。そして、この絶縁ケース７に線材を巻回することでインダクタンス素子が完成するものである。
【図面の簡単な説明】
【００１７】
【図１】本考案のコアキャップを示す斜視図である。
【図２】本考案のコアキャップを組み立てる状態を示す分解斜視図である。
【図３】本考案のコアキャップを組み立てて絶縁ケースとした状態を示す斜視図である。
【符号の説明】
【００１８】
１  コアキャップ
２  トロイダルコア
３  外周壁
４  内周壁
５  空隙
６  通孔部
７  絶縁ケース
８  絶縁仕切板
１０  係合部
１１  凹部
１２  凸部
１３  凹部
１４  凸部
１５  係合部
１６  凹部
１７  凸部
１８  凹部
１９  凸部
２０  凹部
２１  凸部
２２  係合部
【図１】
0003122345.tif 000003
【図２】
0003122345.tif 000004
【図３】
0003122345.tif 000005